(57)【要約】      （修正有）【課題】棚板を所望の位置へ容易に移動でき、且つ棚板とブラケットとの取り外しを容易に行うことができる棚板ユニットを提供する。【解決手段】棚板ユニット１は、複数のフック穴を有した什器本体たる支柱に取り付けられるべき棚板２と、この棚板２に設けられ少なくとも下方に開口したスリット３４を有してなるブラケットホルダ３とで構成される棚板セット１Ｓを有することを特徴とし、棚板ユニット１は棚板セット１Ｓに加え、このブラケットホルダ３のスリット３４に挟圧状態で装着され支柱の所望のフック穴に掛け止めされるブラケット５を加える。【選択図】図２
2013236864.tif 000002
【特許請求の範囲】
【請求項１】
複数の掛止部を有した什器本体に取り付けられるべき棚板と、
この棚板に設けられ少なくとも下方に開口したスリットを有してなるブラケットホルダと、
このブラケットホルダのスリットに挟圧状態で装着され前記什器本体の所望の掛止部に掛け止めされるブラケットとを具備してなることを特徴とする棚板ユニット。
【請求項２】
前記ブラケットホルダが前記棚板とは別体に設けられたものであり、このブラケットホルダに棚板の下面を支持するための補強部材を取り付けるための補強部材取付部を設けている請求項１記載の棚板ユニット。
【請求項３】
前記補強部材取付部が、それぞれ強度が異なる補強部材を取り付け得るものである請求項２記載の棚板ユニット。
【請求項４】
前記スリットが前記ブラケットホルダの下方及び後方に亘って設けられている請求項１、２又は３記載の棚板ユニット。
【請求項５】
前記ブラケットホルダが前記棚板とは別体に設けられたものであり、このブラケットホルダが前記棚板の側端から外嵌する外嵌部と、前記棚板の側端に形成された凹部に挿入する凸部とを有している請求項１、２、３又は４記載の棚板ユニット。
【請求項６】
前記棚板が段ボール素材を折り畳むことにより形成されたものである請求項１、２、３、４又は５記載の棚板ユニット。
【請求項７】
前記棚板が、上面の略全面に亘って罫線が施されたものである請求項１、２、３、４、５又は６記載の棚板ユニット。
【請求項８】
複数の掛止部を有した什器本体に取り付けられるべき棚板と、
この棚板に設けられ少なくとも下方に開口し掛止部に掛け止めされるブラケットに狭圧状態で装着し得るスリットを有してなるブラケットホルダとを具備してなることを特徴とする棚板セット。
【発明の詳細な説明】
【技術分野】
【０００１】
本発明は、什器等を構成するための棚板の構成に関するものである。
【背景技術】
【０００２】
従来、フック穴等の掛止部を有した支柱等の什器本体に対し、ブラケットを介して棚板を取り付けた什器が種々提案されている。これらのものは、ブラケットの先端に棚板を載せ置く態様のもの(例えば、特許文献１参照)と、ブラケットと棚板に設けられたブラケットホルダとの間に係合構造を配し、この係合構造によって棚板の脱落を防止するもの(例えば、特許文献２参照)や、係合構造により棚板をブラケットに固定したりするもの(例えば、特許文献３参照)など、種々の構成がこれまで開示されている。
【０００３】
しかしながら、上記特許文献１及び特許文献２に記載のものは、棚板を所望の位置へと移動すべくブラケットを支柱本体の所望の掛止部に取り付ける際にブラケットから棚板を一旦取り外すといった手間を強いられるものであった。一方特許文献３に記載のものでは棚板の移動の際にはブラケットごと棚板を移動できるものの、棚板をブラケットから取り外す必要があるときには別途係合構造による係合を解除する手間を強いられるものとなっていた。
【先行技術文献】
【特許文献】
【０００４】
【特許文献１】実公昭５８−６３６８号公報
【特許文献２】特開２００７−１５１６９５号公報
【特許文献３】実公昭５７−４３５６６号公報
【発明の概要】
【発明が解決しようとする課題】
【０００５】
本発明は、上述したような不具合に着目したものであり、棚板を所望の位置へ容易に移動でき、且つ棚板とブラケットとの取り外しを容易に行うことができる構造を提供することを目的としている。
【課題を解決するための手段】
【０００６】
本発明は、このような目的を達成するために、次のような手段を講じたものである。
【０００７】
すなわち本発明に係る棚板ユニットは、複数の掛止部を有した什器本体に取り付けられるべき棚板と、この棚板に設けられ少なくとも下方に開口したスリットを有してなるブラケットホルダと、このブラケットホルダのスリットに挟圧状態で装着され前記什器本体の所望の掛止部に掛け止めされるブラケットとを具備してなることを特徴とする。
【０００８】
また本発明に係る棚板セットは、複数の掛止部を有した什器本体に取り付けられるべき棚板と、この棚板に設けられ少なくとも下方に開口し掛止部に掛け止めされるブラケットに狭圧状態で装着し得るスリットを有してなるブラケットホルダとを具備してなることを特徴とする。
【０００９】
ここで、「狭圧状態」とは、棚板ユニットを棚板を持った状態で持ち上げたり、ブラケットを什器本体から掛け止められた状態から取り外す動作を行ったりした場合でも安定してブラケットを位置ずれ無く保持し得るだけの圧力をもって挟み込んでいる状態をいう。
【００１０】
このようなものであれば、棚板に設けられたブラケットホルダがスリットに差し込むだけでブラケットを挟圧状態で保持するため、棚板を所望の位置に移動する際には棚板をブラケットごと移動することができるとともに、棚板をブラケットから取り外す際はなんら係合を解除する動作を行わずともそのまま挟圧状態を解除してやれば良い。すなわち本発明によれば、棚板を所望の位置へ容易に移動でき、且つ棚板とブラケットとの取り外しを容易に行うことができる棚板ユニットを提供することができる。
【００１１】
棚板が支持することができる荷重を増やすべく棚板を補強し得る有効な構成としては、ブラケットホルダに棚板の下面を支持するための補強部材を取り付けるための補強部材取付部を設ける態様を挙げることができる。
【００１２】
ブラケットへの取り付けを簡易に行い得るようにするためには、スリットをブラケットホルダの下方及び後方に亘って設けておくことが望ましい。
【００１３】
ブラケットホルダが棚板とは別体に設けられた場合において確実に棚板をブラケットホルダに取り付けるための構成として、ブラケットホルダに棚板の側端から外嵌する外嵌部と、棚板の側端に形成された凹部に挿入する凸部とを設けたものを挙げることができる。
【００１４】
軽量であり且つ強度が高い棚板の好適な一例として、棚板が段ボール素材を折り畳むことにより形成されたものを挙げることができる。
【００１５】
棚板上に他の物品を正確に配置するためには、棚板を、上面の略全面に亘って罫線が施されたものとすることが望ましい。
【発明の効果】
【００１６】
本発明によれば、棚板を所望の位置へ容易に移動でき、且つ棚板とブラケットとの取り外しを容易に行うことができる棚板ユニットを提供することができる。
【図面の簡単な説明】
【００１７】
【図１】本発明の一実施形態に係る外観図。
【図２】同実施形態に係る背面側から見た斜視図。
【図３】図２に係る分解斜視図。
【図４】同実施形態に係る要部の斜視図。
【図５】同要部の平面図。
【図６】同要部の底面図。
【図７】同要部の側面図。
【図８】同実施形態に係る要部の外側面図。
【図９】同要部の内側面図。
【図１０】同要部の底面図。
【図１１】同要部の平面側から見た斜視図。
【図１２】同要部の底面側から見た斜視図。
【図１３】同実施形態に係る作用説明図。
【図１４】同上。
【図１５】同上。
【発明を実施するための形態】
【００１８】
以下、本発明の一実施の形態について図面を参照して説明する。
【００１９】
本実施形態に係る棚板ユニット１は、什器本体たる支柱６とともに什器Ａを構成しているものであり、支柱６に設けられた掛止部たるフック穴６２に対し掛け止めされたブラケット５に、棚板２の両端に設けられたブラケットホルダ３を取り付けた態様のものである。この棚板ユニット１はそのまま棚板２を支柱６に対して所望の位置へと取り付けるための一単位として機能するものである。また本実施形態に係る棚板セット１Ｓは、上記棚板ユニット１を構成する棚板２に対しブラケットホルダ３を取り付けた態様のものを指す。この棚板セット１Ｓは、上記ブラケット３のみならず、立板状をなす種々の形状をなす他のブラケットに対しても好適に取付けることができ、同様の棚板ユニット１を構成し得るものである。
【００２０】
支柱６は、本実施形態では什器本体の一例として示される金属製の角パイプ状のものである。図１に図示している支柱６は、図示しないが例えば店舗の床面から天井面に亘って突っ張るように設置されたものであり、床面及び天井面に対しては支柱６の上端及び下端が図示しないベースを介して強固に固定されたものである。この支柱６は、本実施形態では棚板２の幅寸法に対応し得る間隔にて幅方向に複数配置されている。そして支柱６は、具体的には角パイプ状に板金を加工してなる支柱本体６１と、この支柱本体６１の前面側に上下方向に等間隔に配置された二列の掛止部たるフック穴６２とを有している。フック穴６２は、本実施形態では上下方向に所定寸法で延びる開口であり、このフック穴６２の幅寸法はブラケット５の厚み寸法に対応している。また図示しないがフック穴６２は支柱本体６１の前面側のみならず、後面側や側面にも形成しても良い。
【００２１】
ここで、本実施形態に係る棚板ユニット１は、複数のフック穴６２を有した什器本体たる支柱６に取り付けられるべき棚板２と、この棚板２に設けられ少なくとも下方に開口したスリット３４を有してなるブラケットホルダ３と、このブラケットホルダ３のスリット３４に挟圧状態で装着され支柱６の所望のフック穴６２に掛け止めされるブラケット５とを具備してなることを特徴とする。また本実施形態に係る棚板セット１Ｓは、複数のフック穴６２を有した支柱６に取り付けられるべき棚板２と、この棚板２に設けられ少なくとも下方に開口しフック穴６２に掛け止めされるブラケット３に狭圧状態で装着し得るスリット３４を有してなるブラケットホルダ２とを具備してなることを特徴とする。
【００２２】
以下、斯かる棚板ユニット１における各部の構成について、具体的に説明する。
【００２３】
ちなみに本実施形態に係る棚板ユニット１は、図３に示すように、上記の棚板２、ブラケットホルダ３及びブラケット５の他、棚板２が受け得る荷重すなわち耐荷重値を調整するための補強部材４も有している。本実施形態では補強部材４として、段ボールを四角筒状に形成した筒状段ボール４１と、金属製の四角筒である金属ステー４２を適用している。これら筒状段ボール４１及び金属ステー４２は棚板ユニット１の使用におけるの必須の構成要素ではなく、ブラケットホルダ３に対し選択的に取り付け得るものである。この補強部材４並びにその取り付け態様についてはブラケットホルダ３の構成とともに後に説明する。
【００２４】
棚板２は、図１乃至図７に示すように、本実施形態では段ボールの折畳みによって構成されたものであり、両端面の中央に形成された凹部２３と、上面２ａの略全域に亘って例えば印刷によって表された罫線２４とを有している。ここで罫線２４とは、前後方向及び幅方向に延びる直線やこの直線に沿って印刷された点のみならず、当該直線に沿って印刷された数字やアルファベットといった文字も含む概念である。具体的に説明すると、この棚板２は、内側段ボール２１と外側段ボール２２といった２枚の段ボールによって構成されている。内側段ボール２１は棚板２の芯材として機能するものであり、段ボールを４層に折り曲げ巻回することにより形成されている。そして上記の４層のうち、２層の段ボールの両端を例えば２０ｍｍ凹ませるよう切り欠くことによって、巻回した際に棚板２の側面中央に上記の凹部２３が形成されるようにしている。外側段ボール２２は、内側段ボール２１の外側を１周周回するものである。この外側段ボール２２は、ちょうど１周周回させることにより段ボールの端面が棚板２の側面を除く表面に露出しないようにしている。具体的には、棚板２の下面２ｂ中央に外側段ボール２２の端面同士を連続させた接続端２５を位置付けている。そして外側段ボール２２を展開した場合に上下方向中央に上記の罫線２４が印刷されている。また外側段ボール２２には、棚板２の正面側及び背面側に、罫線２４の位置に対応するように等間隔にドットが印刷されている。また本実施形態では外側段ボール２２、内側段ボール２１ともに、対をなすボール紙の間に波状の段ｄを介在させた通常の段ボールを使用している。そして棚板２の平面図である図６に一部を切り欠いて示すように、段ボールを構成する段ｄが延びる方向を、棚板２の前後方向としている。
【００２５】
ブラケット５は、図１、図２及び図３に示すように、平面状の板金素材からなる立板状のものであり、一の棚板ユニット１当たり、本実施形態では同形状のブラケット５が一対用いられる。換言すれば一の棚板セット１Ｓに対し、一対のブラケット５が用いられる。このブラケット５は、ブラケットホルダ３に挟圧保持されるブラケット本体５１と、基端部から突出して掛止部たるフック穴６２に掛け止めされるフック５２とを有している。フック５２は、フック穴６２の上下方向の間隔と同じ間隔にて３つ形成されている。このフック５２の具体的な形状は既存のそれと同様のものであるので詳細な説明は省略する。ブラケット本体５１は、外面５３及び内面５４においてブラケットホルダ３に挟圧保持される他、上端面５５に凹凸形状をなす金属棚係合部５６を形成している。すなわちこのブラケット５は段ボール製の棚板２のみならず、従来と同じ金属製の棚部材も取り付けることができるものである。
【００２６】
ブラケットホルダ３は、図１乃至３並びに図８乃至１５に示すように、本実施形態では棚板２とは別体に設けられたものである。ブラケットホルダ３は、樹脂の一体成形からなるものであり、本実施形態では一の棚板ユニット１当たりに、互いに対称形状をなす対をなすブラケットホルダ３が用いられる。本実施形態では説明の便宜上、この左右一対をなすブラケットホルダ３に対して同じ符号を付して説明する。このブラケットホルダ３は、棚板２の端面を覆うホルダ本体３１と、このホルダ本体３１の内面３１ａの縁部から内方に突出する外嵌部３３と、内面３１ａの上下方向且つ前後方向中央から内方に突出する凸部３２とを有している。そしてホルダ本体３１には、その下方にスリット３４が設けられている。このスリット３４は、ホルダ本体３１における下方から後方に亘って上下方向に切り欠いて形成されている。スリット３４は、具体的に説明すると、ホルダ本体３１から底面側すなわち下方に面した下面側スリット３４ａと、ホルダ本体３１の背面すなわち後方に面した後側スリット３４ｂと、スリット３４内部における内側面から等間隔にテーパ形状に隆起させて設けた挟圧リブ３４ｃと、この挟圧リブ３４ｃに対面しブラケット５に対して面接触する挟圧面３４ｄとを有している。本実施形態では図２に示すように、このスリット３４をブラケット本体５１の上方から覆うように取り付け、ブラケット５の外面５３と挟圧面３４ｄとの面接触並びに内面５４と挟圧リブ３４ｃとの点接触又は線接触といった間欠的な接触により、ブラケット５取り付け／取り外しをスムーズに行いつつ、取り付けた状態でのブラケット５に対する確実な位置決め、並びに、棚板ユニット１の移動に際し支障がない程度の強さの挟み込みを実現している。また本実施形態では狭圧リブ３４ｃをテーパ形状に形成することにより、上記のブラケット５以外の厚みを有するブラケットに対しても厚み寸法の差異を許容しブラケット５に対する狭圧状態と同様の狭圧状態を実現する厚み許容部として機能している。また勿論ブラケットホルダ３は樹脂からなるものであるので、樹脂自体の弾性変形によっても種々のブラケットが有する厚み寸法の差異を許容し得る。また外嵌部３３は、棚板２の側面の外径に対応するようにホルダ本体３１の内面３１ａの周縁略全域に亘って突出しているリブである。この外嵌部３３は棚板２の下面２ｂ側に対応する部分の突出寸法を上面２ａに対応するそれよりも大きく設定している。凸部３２は、前後方向に突出する凸部本体３２ａと、この凸部本体３２ａから等間隔で上下方向に膨出する膨出部３２ｂとを有している。本実施形態ではこの膨出部３２ｂの形状をテーパ形状に設定することで、凹部２３に対する装着開始時における簡易な位置合わせと装着終了時における確実な取り付けとを両立させている。
【００２７】
そして本実施形態では、このブラケットホルダ３に棚板２の下面２ｂを支持するための上記の補強部材４を取り付けるための補強部材取付部たる筒取付部３５並びにステー取付部３６を設けている。
【００２８】
筒取付部３５は、ブラケットホルダ３における前後方向中央において、外嵌部３３の形状を一部変形させることによってなる。具体的に説明すると、筒取付部３５は、筒状段ボール４１の外側の前後の外側面に接し得る外嵌リブ３５ａと、筒状段ボール４１の上側且つ内側から挿入する挿入リブ３５ｂと、筒状段ボール４１の幅方向端面に接し得る当接リブ３５ｃとを有している。外嵌リブ３５ａと挿入リブ３５ｂとの間隔は筒状段ボールの厚みと略合致している。これにより図１４に示す状態では、筒状段ボール４１は取り付けられた状態では当接リブ３５ｃに両端から当接され、且つ、外嵌リブ３５ａ及び挿入リブ３５ｂにより厚み方向に挟持された状態で固定される。
【００２９】
ステー取付部３６は、ブラケットホルダ３における前後端近傍のそれぞれ２箇所において、外嵌部３３の形状を一部変形させることによってなる。具体的に説明すると、ステー取付部３６は、金属ステー４２の外側の前後の外側面に接し得る外嵌リブ３６ａと、金属ステー４２の上側且つ内側から挿入する挿入リブ３６ｂと、金属ステー４２の幅方向端面に接し得る当接リブ３６ｃとを有している。外嵌リブ３６ａと挿入リブ３６ｂとの間隔は上記の筒状段ボール３５同様、金属ステー４２の厚みと略合致している。これにより図１５に示す状態では、金属ステー４２は取り付けられた状態では当接リブ３６ｃに両端から当接され、且つ、外嵌リブ３６ａ及び挿入リブ３６ｂにより厚み方向に挟持された状態で固定される。
【００３０】
しかして本実施形態では、棚板２上に載置する物品の重量が、例えば５Ｋｇ以下である場合には、図１３に示すように、上記の掻く補強部材４を何ら取り付けない状態にて使用する。そして、５Ｋｇ以上であり１０Ｋｇよりも小さい荷重か掛かる場合には、図１４に示すように、筒状段ボール４１を筒取付部３５に取り付け、棚板２の下面２ｂと筒状段ボール４１とを密着させた状態で使用する。またこの場合は外側段ボール２２の接続端２５が筒状段ボール４１により隠蔽される。さらに、１０ｋｇ以上であり２０Ｋｇよりも小さい荷重が掛かるような場合には、図１５に示すように、２本の金属ステー４２を前後のステー取付部３６に取り付け、棚板２の下面２ｂと金属ステー４２とを密着させた状態で使用する。そして図示しないが、２０Ｋｇ以上の荷重が掛かる場合には、筒状段ボール４１と金属ステー４２とを筒取付部３５及びステー取付部３６にそれぞれ取り付けるようにしても良い。
【００３１】
以上のような構成とすることにより、本実施形態に係る棚板ユニット１は、棚板２に設けられたブラケットホルダ３がスリット３４に差し込むだけでブラケット５を挟圧状態で保持するため、棚板２を所望の位置に移動する際には棚板２をブラケット５ごと移動することができるとともに、棚板２をブラケット５から取り外す際はなんら係合を解除する動作を行わずともそのまま挟圧状態を解除することも可能である。すなわち本発明によれば、棚板２を所望の位置へ容易に移動でき、且つ棚板２とブラケット５との取り外しを容易に行うことができる構造を実現している。また勿論、ブラケット５をブラケットホルダ３に取り付ける際には部材を係合させる動作や別体の部品を取り付ける動作という煩わしい動作を行うことなく、ブラケット本体５１をスリット３４に差し込むのみの簡便な作業のみで足る。また本実施形態ではブラケット５は段ボール製の棚板２のみならず従来から使用されている金属製の棚部材も使用し得るものであるが、ブラケットホルダ３がブラケット５を取り付けた際に金属棚係合部５６を隠蔽している。そのため棚板ユニット１の外見に違和感を来たすことのない有効な部品の共用を実現している。
【００３２】
また本実施形態では、ブラケットホルダ３に棚板２の下面２ｂを支持するための補強部材４を取り付けるための補強部材取付部たる筒取付部３５並びにステー取付部３６を設けているので、棚板２が支持することができる荷重を簡便且つ有効に増やし得るものとなっている。
【００３３】
特に本実施形態では、それぞれ強度が異なる補強部材４としての段ボール筒及び金属ステー４２をそれぞれ取り付け得るように補強部材取付部として筒取付部３５及びステー取付部３６を設けているので、これらを選択的に使用し、棚板２の耐荷重性能を任意に調整することができる。
【００３４】
一方、ブラケット５への取り付けを簡易に行い得るようにするために本実施形態では、スリット３４をブラケットホルダ３の下方に設けた下面側スリット３４ａと後方に設けた後側スリット３４ｂとを有するものとしている。
【００３５】
他方、ブラケットホルダ３が確実に棚板２を取り付けるための構成として本実施形態では、ブラケットホルダ３に棚板２の側端から外嵌する外嵌部３３と、棚板２の側端に形成された凹部２３に挿入する凸部３２とを有するものとしている。
【００３６】
また本実施形態では軽量でありながらも且つ通常の使用に必要十分な強度が得られるように、棚板２を段ボール素材を折り畳むことにより形成している。これにより、棚板ユニット１が、金属製の棚部材を持ちたものよりも軽量化され、支柱６に対する位置変更などの作業の省力化、効率化に資する。
【００３７】
また本実施形態では、棚板２上に他の物品を正確に配置するために棚板２上面２ａの略全面に亘って罫線２４が施されたものとし、当該罫線２４に沿って物品を配置すれば、棚板２上の正確な位置に物品を配置し得る。特に本実施形態では罫線２４及びドット２６の形成を棚板２を構成する外側段ボール２２に対する印刷のみにより、容易に実現している。
【００３８】
特に本実施形態では、スリット３４がブラケット５の上端面５５を完全に覆いつつ挟持リブ狭圧リブ３４ｃがテーパ形状をなすことにより、上記のブラケット５以外の厚みを有するブラケットに対しても厚み寸法の差異を許容しブラケット５に対する狭圧状態と同様の狭圧状態を実現する厚み許容部として機能している。これにより、ブラケット５とは形状が異なる他の仕様をなすものであっても立板状のものであれば多少の厚み寸法の差異を許容して好適な狭圧状態を実現し得る。つまり本実施形態に係る棚板セット１Ｓは種々の態様をなすブラケットとともに上記同様の棚板ユニット１を構成し、同様の作用効果を奏し得る。
【００３９】
以上、本発明の実施形態について説明したが、各部の具体的な構成は、上述した実施形態のみに限定されるものではなく、本発明の趣旨を逸脱しない範囲で種々変形が可能である。
【００４０】
例えば、上記実施形態では什器本体として支柱に掛止部を設けた態様を開示したが、勿論什器本体とは支柱に限らず壁面等の立面に掛止部を設けた構成のものであればよい。また上記実施形態では棚板とブラケットホルダとを別体に構成したものを開示したが、勿論、ブラケットホルダは棚板と一体に設けられたものであってもよい。斯かる具体例としては、例えば木製の棚板の両側端に上記実施形態同様のスリットを有したブラケットホルダを一体に設けたものを挙げることができる。
【００４１】
また棚板やブラケットホルダの具体的な態様は上記実施形態のものに限定されることはなく、既存のものを含め、種々の態様のものを適用することができる。
【００４２】
その他、各部の具体的構成についても上記実施形態に限られるものではなく、本発明の趣旨を逸脱しない範囲で種々変形が可能である。
【産業上の利用可能性】
【００４３】
本発明は棚板を所望の位置へ容易に移動でき、且つ棚板とブラケットとの取り外しを容易に行うことができる棚板ユニット及び棚板セットとして利用することができる。
【符号の説明】
【００４４】
１…棚板ユニット
１Ｓ…棚板セット
２…棚板
２ａ…上面
２ｂ…下面
２３…凹部
２４…罫線
３…ブラケットホルダ
３４…スリット
３２…凸部
３３…外嵌部
３５…補強部材取付部（筒取付部）
３６…補強部材取付部（ステー取付部）
４…補強部材
５…ブラケット
６…什器本体（支柱）
６２…掛止部（フック穴）
【図１】
2013236864.tif 000003
【図２】
2013236864.tif 000004
【図３】
2013236864.tif 000005
【図４】
2013236864.tif 000006
【図５】
2013236864.tif 000007
【図６】
2013236864.tif 000008
【図７】
2013236864.tif 000009
【図８】
2013236864.tif 000010
【図９】
2013236864.tif 000011
【図１０】
2013236864.tif 000012
【図１１】
2013236864.tif 000013
【図１２】
2013236864.tif 000014
【図１３】
2013236864.tif 000015
【図１４】
2013236864.tif 000016
【図１５】
2013236864.tif 000017